(57)【要約】【課題】本発明は、車両内の空間を阻害することなく既存のビデオカメラを前部座席に支持することができる車載用ビデオカメラ支持装置を提供することを目的とするものである。【解決手段】本発明は、運転席、助手席あるいは後部座席の中から選ばれる少なくとも一つの背もたれ上端と、該背もたれ上端に差し込み式によって取り付けられるヘッドとによって挟持固定されるビデオカメラ支持装置において、前記差し込み式のヘッド７下端に突設される挿入棒８が挿入される開口穴４が、その一端から他端に向けて形成される板状の本体部２と、前記本体部２の他端に、上下方向へ傾動可能とされるビデオカメラ載置用としての可動部３が連結される。【選択図】図１
2008260320.tif 000002
【特許請求の範囲】
【請求項１】
運転席、助手席あるいは後部座席の中から選ばれる少なくとも一つの背もたれ上端と、該背もたれ上端に差し込み式によって取り付けられるヘッドとによって挟持固定されるビデオカメラ支持装置において、
前記差し込み式のヘッド下端に突設される挿入棒が挿入される開口穴が、その一端から他端に向けて形成される板状の本体部と、
前記本体部の他端に、上下方向へ傾動可能とされるビデオカメラ載置用としての可動部
が連結される
ことを特徴とする車載用ビデオカメラ支持装置。
【請求項２】
前記本体部の長手方向の両側端に、前記ヘッドを自在に巻着可能とされる固定バンドが取り付けられる
ことを特徴とする請求項１記載の車載用ビデオカメラ支持装置。
【請求項３】
前記可動部にビデオカメラを左右回動自在とする手段を設ける
ことを特徴とする請求項１または２記載の車載用ビデオカメラ支持装置。
【請求項４】
前記可動部周縁部端にビデオカメラを巻着固定するためのビデオカメラ固定バンドが取り付けられる
ことを特徴とする請求項１、２または３記載の車載用ビデオカメラ支持装置。
【発明の詳細な説明】
【技術分野】
【０００１】
本発明は、車載用ビデオカメラ支持装置に関する。詳しくは一般に販売されているビデオカメラを走行する車内から安定した状態で保持することできる車載用ビデオカメラ支持装置に係るものである。
【背景技術】
【０００２】
従来より車両の運転中に起こる事故は、警察官の立会いの基に当事者双方からの事故当時のあいまいな記憶を元に話し合いが行われ、これらの供述と状況証拠を基に裁定が行われる。したがって、事故当時の不明なところは水掛け論となり、第三者の憶測が入り、かならずしも事実に基づいた正しい判定が行われてきたとは言えない。
【０００３】
そこで公道を走る車両が、走行中前方の様子を一部始終カメラ録画することにより、不運にも予期せぬ事態が発生した場合にも公平な事故処理が行えるように車載専用前方録画ビデオカメラが種々開発されている。
【０００４】
この車載専用前方録画ビデオカメラとして例えば、図８に示すように、後部座席１０１のシートベルトに固定された支持体１０３の水平台部１０４にビデオカメラ１０５が駆動部１０６を介して固定され、この支持体１０３の上端が天井１０７に固定され、更に、この支持体１０３を柔軟な支持部材１０２で後部座席１０１へ支持した構成とされる（特許文献１参照。）。
【０００５】
また、図９に示すように、フロントパネル上用台座１１０上に録画・再生機能のみとする車載ビデオカメラ１１１を固定した構成とされるものがある（特許文献２参照。）
【０００６】
また、図１０に示すように、ドライブモードスイッチ１２０とシガーライター用電源１２１が接続されている受け端子１２２が形成されている搭載面１２３を備えたビデオステーション１２４を車両のダッシュボード上に固定し、前記搭載面１２３にドライブモード切替受け端子１２４を備えたビデオカメラ１２６を搭載して前記受け端子１２２とドライブモード切替受け端子１２４とを接続することにより構成される（特許文献３参照。）。
【０００７】
【特許文献１】特開平９−１７８０８４号公報  （要約書、第１図）
【０００８】
【特許文献２】特開２００５−１４８７７号公報（要約書、第１図）
【０００９】
【特許文献３】特開２００６−２６１８６５号公報（要約書、第１図）
【発明の開示】
【発明が解決しようとする課題】
【００１０】
しかしながら前記特許文献１に係る発明では、前部座席間に、その後方の後部座席のシートレールと後部座席のベルト等の一部に接続される支持部材によって立設固定される支持体に設けられる水平台部にビデオカメラを載置するものであり、前記支持体によって車内の空間が狭くなり、特に後部座席の乗り降りが非常に困難となる恐れがある。
【００１１】
また、前記特許文献２に係る発明では、フロントパネル上にビデオカメラを固定する台座を設けるものであるが、フロントパネルは車種によっては必ずしも平面状ではなく、また奥行きも異なるために、ビデオカメラを水平状に設置することが難しく、かつそれぞれの形態のフロントパネルに合った台座を製作するのは非常に煩雑な作業となり、コスト高の要因となる。また、フロントパネル上にビデオカメラを設置することは運転者にとって前方の視界が遮られることとなる問題が生じる。
【００１２】
また、前記特許文献３に係る発明では、ビデオステーションを車両のダッシュボード上に固定するものであるが、前記特許文献２に係る発明と同様に、ダッシュボード上は車種によっては必ずしも平面状ではなく、また奥行きも異なるために、ビデオステーションを水平状に設置することが難しい問題がある。また、ダッシュボード上にビデオカメラを設置することは運転者にとって前方の視界が遮られることとなる問題が生じる。
更に、前記特許文献２に係る発明と同様にビデオカメラを上下・左右に調整することができない問題がある。
【００１３】
また、前記特許文献１〜３に係る発明では、車載用としての専用のビデオカメラを製作しなければならず、ビデオカメラおよびそのビデオカメラを支持する部材が必要となることから所有者に高額な負担がかかる恐れがある。
【００１４】
本発明は、以上の点に鑑みて創案されたものであって、車両内の空間を阻害することなく既存のビデオカメラを前部座席に支持することができる車載用ビデオカメラ支持装置を提供することを目的とするものである。
【課題を解決するための手段】
【００１５】
上記の目的を達成するために、本発明に係る車載用ビデオカメラ支持装置は、運転席、助手席あるいは後部座席の中から選ばれる少なくとも一つの背もたれ上端と、該背もたれ上端に差し込み式によって取り付けられるヘッドとによって挟持固定されるビデオカメラ支持装置において、前記差し込み式のヘッド下端に突設される挿入棒が挿入される開口穴が、その一端から他端に向けて形成される板状の本体部と、前記本体部の他端に、上下方向へ傾動可能とされるビデオカメラ載置用としての可動部が連結される。
【００１６】
ここで、本体部を運転席、助手席あるいは後部座席の背もたれ上端とヘッドとの間に差し込んで可動部が運転席と助手席、あるいは後部座席との間に位置する状態に取り付ける。そして可動部上に通常販売されている既存のビデオカメラを載置固定し、ビデオカメラの焦点を合わせるために上下方向および左右方向への調整を行う。
【００１７】
また、前記ビデオカメラの左右方向への回動手段としては、可動部の上面に左右回動自在に枢支されるビデオカメラ台座部を設ける、あるいは可動部上面にビデオカメラ固定用としてのユニバーサルジョイントネジを設ける構成とする。
【００１８】
また、前記本体部の長手方向両側端にはヘッドを巻着して本体部を固定させるための固定バンド、あるいは前記可動部の周縁端にはビデオカメラを巻着して可動部上に固定させるためのビデオカメラ固定バンドを取り付けた構成とする。
【発明の効果】
【００１９】
本発明の車載用ビデオカメラ支持装置によれば、運転席あるいは助手席のどちらでも取り付けられるとともに、前方用または後方用のいずれの場合でも取り付けが可能となる。
また、一般に販売されている既存のビデオカメラを使用することができ、かつビデオカメラの向きが上下・左右方向に調整することができる。
【００２０】
また、ビデオカメラ支持装置は、運転席、あるいは助手席の上部に取り付けられるために乗り降りの邪魔になることがなく、かつ軽量で取り付けがドライバー１本で容易に行うことができる。
【発明を実施するための最良の形態】
【００２１】
以下、本発明の実施の形態を図面を参酌しながら説明し、本発明の理解に供する。
図１は、本発明を適用した車載用ビデオカメラ支持装置の一例を示す平面図、図２は、図１における正面図、図３（イ）（ロ）は、本発明を適用した車載用ビデオカメラ支持装置を前部座席に取付けた状態を示す説明図である。
【００２２】
ここで示す支持装置１は、本体部２と該本体部２に対して上下および左右方向へ可動可能とされる可動部３が設けられた構成とされる。
【００２３】
前記本体部２には、一端側が解放状とされる開口穴４が形成される。この開口穴４は、前部座席５の上端に穿孔される差し込み穴６に差し込まれる、ヘッド７下端に突設される２本の挿入棒８を遊嵌状に挿入できる全長および幅径を有するものである。
【００２４】
また、開口穴４の略中央を位置とする前記本体部２の両側端には締結バンド９が固着される。この締結バンド９は、本体部２の開口穴４をヘッド７下端に突設される挿入棒８を嵌め入れた状態でヘッド７を前部座席５上端の差し込み穴６に差し入れることによって前記本体部２はヘッド７と前部座席５上端とによって挟まれた状態で固定される。そして前記締結バンド９によってヘッド７を巻着することによって本体部２を強固に固定することが可能となる。
なお、前記締結バンド９は互いの解放端面が容易に脱着できるように面状接着テープやバックル式とすることが望ましい。
【００２５】
また、前記締結バンド９による本体部２の固定手段の他に、前記本体部２の開口穴４の略中央に位置する個所に締結ネジ１０を螺着し、ヘッド７の挿入棒８に開口穴４を嵌め入れる際に、該開口穴４前記ヘッド７の挿入棒８との間に押し板（図示せず。）を介在させて前記締結ネジ１０をねじ込んで、該締結ネジ１０の先端によって押し板を挿入棒８に圧着させることで本体部２を固定させる構成としても構わない。
【００２６】
このようにして本体部２を前部座席５の上端に取付けた場合に、その他端が前部座席５の背もたれの横端に位置するような長さとされる。
そこで前記本体部２の他端に取り付けられる可動部３は、ビデオカメラ（図示せず。）が載置できる面積を有するとともに、その一端側を上下方向に傾動可能となるように固定用筒部１５および支持ネジ固定金具１９によって連結されるものである。
【００２７】
次に、可動部３の上面にはビデオカメラ台座部１１が枢支ネジ１２によって左右方向へ回転自在な状態で取り付けられる。この可動部３の前端および外側端に沿ってビデオカメラを係止させるためのガイド片１３が設けられる。
【００２８】
また、前記可動部３の左右側端の略中央位置にはビデオカメラ固定バンド１４が取り付けられ、前記ビデオカメラ台座１１上にビデオカメラ（図示せず。）を載置した状態で前記ビデオカメラ固定バンド１４によって固定できる構成とするものである。
【００２９】
更に、前記可動部３の前端に沿って固定用筒部１５が固着される。そしてこの固定用筒部１５の開口端に連接する状態で支持ネジ挿入金具１６が本体部２の他端側に取り付けられるものである。
【００３０】
そこで図４に示すように、その基端が固定用筒部１５の開口端に係留する鍔部２０が周設される支持ネジ部１７が挿入され、いっぽう、本体部２の他端に取り付けら支持ネジ挿入金具１６には、その基端が支持ネジ挿入金具１６の開口端に係留すると共に、その中央に前記支持ネジ部１７の先端が挿通可能とされる支持ネジ固定金具１９が嵌め入れられる。そして支持ネジ固定金具１９の挿通穴１８より挿通される前記支持ネジ部１７の先端に形成される雄ネジ２１に対してナット部材２２が螺着され、このナット部材２２によって前記固定用筒部１５と支持ネジ挿入金具１６とが圧接した状態で連結されることによって可動部３と本体部２とが固定される。
したがって、可動部３上にビデオカメラを載せた状態でビデオカメラの目線を調整すべく可動部３を前後方向に傾動させて前記固定用筒部１５および支持ネジ固定金具１９を前記支持ネジ部１７によって締結固定することにより可動部３の前後方向への傾動が自在に調整できる構成となる。
【００３１】
なお、本実施例では前記可動部を固定用筒部および支持ネジ固定金具による傾動手段について詳述したが、他に可動部と本体部の前、あるいは後側端に沿って螺着される支持ネジを設け、可動部を傾動調整した後に該支持ネジによって可動部と本体部を締結固定する構成であってもよく、要するに可動部を前後方向に傾動調整した後にその状態で固定できるものであればいかなる傾動手段であっても構わない。
【００３２】
次に、図５（イ）（ロ）に、前方撮影で運転席・助手席両方取り付け可能な例を示すものである。
例えば運転席と助手席の間から前方を撮影する場合において、運転席から助手席、あるいは助手席から運転席へ支持装置１の取り付けを変更しようとするとき、または運転席と助手席の間から後方を撮影する場合には、本体部２を裏返ししなければならないために、可動部３のビデオカメラ台座１１も裏返しされてビデオカメラが固定できないことになる。
【００３３】
そこで図５（イ）で示すように、可動部３の両側面にビデオカメラ台座１１を左右回転自在な状態で取り付けると共に、それぞれのビデオカメラ台座１１に対応してビデオカメラ固定バンド１４を可動部３に取り付ける構成とするものである。
【００３４】
また、図５（ロ）で示すように、可動部３の前後側端に沿って固定用筒部１５を取り付けると共に、前記可動部３を１８０度反転できる機構とすることによりビデオカメラ台座１１を上面に変換し、可動部３と本体部２とを支持ネジ部１７によって連結できる構成とするものである。
【００３５】
以上の構成よりなる本発明の車載用ビデオカメラ支持装置では図６に示すように、例えば運転席Ａから前方、あるいは後方をビデオカメラＢによって撮影する場合には、車両のシガーライターＣから電源をとり、インバーターＤを介してビデオカメラＢに電源コードを接続するものである。
また、ワンボックスカーのように後部座席にもヘッドがある場合には、後部座席にビデオカメラＢを後ろ向きに取り付けることによって、車両後方より追突された場合の状況を撮影することができ、車両の前後方向からの事故当時の撮影が可能となる。
【００３６】
ここで、運転席Ａに本発明の車載用ビデオカメラ支持装置を取り付ける場合には、図７（イ）で示すように、まずヘッド７を上方に持ち上げて運転席Ａである前部座席５の差し込み穴６より挿入棒８を抜き出して前部座席５上端とヘッド７との間に隙間を設ける。そして前記隙間に該本体部２の開口穴４を差し込んで、前記ヘッド７の挿入棒８に挿入しヘッド７と前部座席５上端と間に本体部２を取り付ける。
【００３７】
次に、ヘッド７を下方に下ろして前記本体部２を前部座席５上端とヘッド７とによって挟んだ状態で固定し、更に締結バンド９によってヘッド７を巻着することにより本体部２を強固に取り付けることが可能となる。
【００３８】
そして図７（ロ）に示すように、可動部３上面のビデオカメラ台座１１上にビデオカメラＢを載置する。この際には、ビデオカメラ台座１１の周縁部に設けられるガイド片１３にビデオカメラＢを係留させてずれないようにする。
【００３９】
そこで、前記可動部３を前後方向および前記ビデオカメラ台座１１を左右方向へ可変させてビデオの焦点を合わせた状態で前記ビデオカメラＢをビデオカメラ固定バンド１４によって巻着することによってビデオカメラＢを可動部３上に固定することが可能となる。
【００４０】
このようにしてビデオカメラＢを本発明の車載用ビデオカメラ支持装置によって運転席と助手席との間に位置するように取り付けることによって、ドライバーの視界を遮ることなく安全な運転が可能となる。
【図面の簡単な説明】
【００４１】
【図１】本発明を適用した車載用ビデオカメラ支持装置の一例を示す平面図である。
【図２】図１における正面説明図である。
【図３】本発明を適用した車載用ビデオカメラ支持装置の取り付け状態の一例を示す説明図である。
【図４】本発明を適用した車載用ビデオカメラ支持装置の要部拡大断面説明図である。
【図５】本発明を適用した車載用ビデオカメラ支持装置による前方撮影で運転席・助手席両方取り付け可能な例を示す説明図である。
【図６】本発明を適用した車載用ビデオカメラ支持装置によるビデオカメラの設置例を示す説明図である。
【図７】本発明を適用した車載用ビデオカメラ支持装置の取り付けおよびビデオカメラの取り付け例を示す説明図である。
【図８】従来の車載用ビデオカメラの設置例である特許文献１における説明図である。
【図９】従来の車載用ビデオカメラの設置例である特許文献２における説明図である。
【図１０】従来の車載用ビデオカメラの設置例である特許文献３における説明図である。
【符号の説明】
【００４２】
１      支持装置
２      本体部
３      可動部
４      開口穴
５      前部座席
６      差し込み穴
７      ヘッド
８      挿入棒
９      締結バンド
１０    締結ネジ
１１    ビデオカメラ台座部
１２    枢支ネジ
１３    ガイド片
１４    ビデオカメラ固定バンド
１５    固定用筒部
１６    支持ネジ挿入金具
１７    支持ネジ部
１８    挿通穴
１９    固定金具
２０    鍔部
２１    雄ネジ
２２    ナット部材
【図１】
2008260320.tif 000003
【図２】
2008260320.tif 000004
【図３】
2008260320.tif 000005
【図４】
2008260320.tif 000006
【図５】
2008260320.tif 000007
【図６】
2008260320.tif 000008
【図７】
2008260320.tif 000009
【図８】
2008260320.tif 000010
【図９】
2008260320.tif 000011
【図１０】
2008260320.tif 000012